(57)【要約】【課題】冷凍サイクルによる再熱除湿と微細水滴の吹出し運転を同時に行うことで空気浄化ができる換気空調装置を提供することを目的とする。【解決手段】本体に第１微細水滴発生手段９と、圧縮機２０と第１熱交換器４と膨張機構２１と第２熱交換器３からなる冷凍サイクルと、第１熱交換器４と第２熱交換器３に空気を送り室内に微細水滴を含んだ空気を送る循環送風装置６と、この循環送風装置６と圧縮機２０と第１微細水滴発生手段９を制御する制御手段２３を搭載し、冷凍サイクルによる再熱除湿と微細水滴の吹出し運転を同時に行うことで、脱臭サイクルを形成し、空気浄化ができる換気空調装置が得られる。【選択図】図１
2011163635.tif 000002
【特許請求の範囲】
【請求項１】
本体に微細水滴発生手段と、圧縮機と第１熱交換器と膨張機構と第２熱交換器からなる冷凍サイクルと、熱交換器に空気を送り室内に微細水滴を含んだ空気を送る送風装置と、この送風装置と圧縮機と微細水滴発生手段を制御する制御装置を搭載し、冷凍サイクルによる再熱除湿と微細水滴の吹出し運転を同時に行うことを特徴とした換気空調装置。
【請求項２】
微細水滴発生手段は０．３μｍ以上の微細水滴を含み発生することを特徴とした第１請求項記載の換気空調装置。
【請求項３】
微細水滴発生手段は０．３μｍ以下の超微細水滴を発生することを特徴とした第１請求項記載の換気空調装置。
【請求項４】
微細水滴発生手段は冷水を利用することを特徴とした第２および３請求項記載の換気空調装置。
【請求項５】
微細水滴発生手段は温水を利用することを特徴とした第２および３請求項記載の換気空調装置。
【請求項６】
操作部を設けたことを特徴とした第１請求項記載の換気空調装置。
【請求項７】
煙センサを設けたことを特徴とした第１請求項記載の換気空調装置。
【請求項８】
煙センサ自動停止機能を有したことを特徴とした第７請求項記載の換気空調装置。
【請求項９】
熱検出センサを設けたことを特徴とした第１請求項記載の換気空調装置。
【請求項１０】
熱検出センサ自動停止機能を有したことを特徴とした第９請求項記載の換気空調装置。
【請求項１１】
運転遅延機能を有したことを特徴とした第６〜１０請求項のいずれか一つに記載の換気空調装置。
【請求項１２】
風向ルーバーを備えたことを特徴した第１請求項記載の換気空調装置。
【発明の詳細な説明】
【技術分野】
【０００１】
本発明は、ヒートポンプを利用して浴室などの換気空調を行う換気空調装置に関するものである。
【背景技術】
【０００２】
従来、この種のヒートポンプを利用した浴室などの換気空調装置としては、浴室または洗面室において使用され、蒸発器、凝縮器からなる熱交換器と圧縮機より構成される冷凍サイクルと、浴室の空気を吸い込んで前記浴室へと空気を循環する空気循環装置と、前記浴室の空気を吸い込んで屋外に排気する換気装置と、この換気装置と前記空気循環装置と前記冷凍サイクルとを制御する制御装置と、この制御装置に操作信号を送信する操作部と、前記換気装置の浴室空気を吸い込む吸込み風路に開閉自在の通風遮断部材を設けると共に、前記浴室とは異なる一部屋ないし複数の部屋より空気を吸い込むための１つないし複数の接続ダクトとを備え、浴室とは異なる部屋より排気するために吸込んだ空気の熱を回収（または放出）し、浴室送風する空気へ熱を放出（または回収）することで浴室を空調し、通風遮断部材の開閉量により、前記換気装置は浴室以外の一部屋ないし複数の部屋を同時にまたは個別に換気するか否かの選択と吸込み量の調整をするものがある（例えば特許文献１参照）。
【０００３】
また、浴室をサウナ室とするため、温水または水の供給を受け、微細水滴を生成するミストノズルを有する微細水滴発生手段と運転モードに応じて送風または温風を吹き出す浴室空調装置と、前記微細水滴発生手段と前記浴室空調装置の運転を連動させ、ミストモードを実行する制御手段を備え、前記制御手段は、前記ミストモードとして、前記微細水滴発生手段でミストを噴出すると共に、前記浴室内に前記浴室空調装置で送風または温風を吹き出し、浴室を中温高湿のミストサウナ状態とするものがある（例えば特許文献２参照）。
【先行技術文献】
【特許文献】
【０００４】
【特許文献１】特開２００３−３４３８９２号公報
【特許文献２】特開２００６−３０４８７１号公報
【発明の概要】
【発明が解決しようとする課題】
【０００５】
このような従来の換気空調装置では、温度調節や加湿などの空調機能は多機能化してきているが、空気浄化については、汚れた室内の空気を排気し、建物内の別に設けられた吸気口から屋外の空気を吸込み、室内の空気の入換えをすることしかできていなかった。
【０００６】
しかしながら、一般的に換気空調装置は、浴室（ユニットバスなど）に設置されることが多く、浴室は高湿度環境であることから、空気浄化によく用いられる活性炭やＨＥＰＡなどの機能フィルターは湿気を含み通風が悪くなることによる性能低下から使用することを避けられ、高圧電圧を用いた集塵式フィルターは、高湿度による様々な抵抗値の減少から感電や漏電を避けるために使用することを避けるなど、フィルターを用い難いため空気浄化をするのが難しい。
【０００７】
また、家の中を汚す空気の代表としてタバコの煙があるが、近年の喫煙者減少や非喫煙者や子供などへの健康の配慮により、喫煙者の家での喫煙はベランダでの喫煙や換気扇、レンジフードなどの下に潜り込んでの喫煙を強いられている。
【０００８】
ベランダでの喫煙は、冬は寒く夏は暑い悪環境であったり、洗濯物に臭いが付くことや、夜は暗くタバコの火による火傷を誘発する環境であり、一方、レンジフード下では屈んで喫煙するように、体や腰に負担が掛かるような体勢となり、喫煙者への環境が悪化している状況である。
【０００９】
また、屋外での喫煙や換気扇、レンジフード下での喫煙はタバコの煙を大気にそのまま放出しており、大気を汚染しているという課題がある。
【００１０】
そこで本発明は、上記従来の課題を解決するものであり、冷凍サイクルによる再熱除湿と微細水滴の吹出し運転を同時に行うことで空気浄化ができる換気空調装置を提供することを目的としている。
【課題を解決するための手段】
【００１１】
そして、この目的を達成するために、本発明の換気空調装置は、本体に微細水滴発生手段と、圧縮機と第１熱交換器と膨張機構と第２熱交換器からなる冷凍サイクルと、熱交換器に空気を送り室内に微細水滴を含んだ空気を送る送風装置と、この送風装置と圧縮機と微細水滴発生手段を制御する制御装置を搭載し、冷凍サイクルによる再熱除湿と微細水滴の吹出し運転を同時に行うことを特徴としたものであり、そして、本発明によれば、冷凍サイクルによる再熱除湿と微細水滴の吹出し運転を同時に行うことでフィルターを用いずに、室内の空気浄化を行うことができる。
【００１２】
また、空気浄化することができるので、室内（例えば浴室）を喫煙場所として活用し、喫煙環境の改善と、喫煙者の身体の保護、また、屋外への排気も浄化することができ、大気汚染を抑制できる。
【００１３】
また、臭いなどは結露水として排水するが、大気への排気と異なり下水道は浄化インフラも整っていることから、地球環境保護の観点でも寄与することができ、これにより所期の目的を達成するものである。
【発明の効果】
【００１４】
本発明によれば、本体に微細水滴発生手段と、圧縮機と第１熱交換器と膨張機構と第２熱交換器からなる冷凍サイクルと、熱交換器に空気を送り室内に微細水滴を含んだ空気を送る送風装置と、この送風装置と圧縮機と微細水滴発生手段を制御する制御装置を搭載し、冷凍サイクルによる再熱除湿と微細水滴の吹出し運転を同時に行うこととしたため、冷凍サイクルによる再熱除湿と微細水滴の吹出し運転を同時に行うことでフィルターを用いずに、室内の空気浄化を行うことができる。
【００１５】
また、空気浄化することができるので、室内（例えば浴室）を喫煙場所として活用し、喫煙環境の改善と、喫煙者の身体の保護、また、屋外への排気も浄化することができ、大気汚染を抑制できる。
【００１６】
また、臭いなどは結露水として排水するが、大気への排気と異なり下水道は浄化インフラも整っていることから、地球環境保護の観点でも寄与することができるという効果を得ることができる。
【図面の簡単な説明】
【００１７】
【図１】本発明の実施の形態１記載の換気空調装置の脱臭サイクル運転状態の構成を示す概略断面図
【図２】同制御手段との電気接続を示す概略構成図
【図３】同換気運転状態を示す概略断面図
【図４】同室内での循環路を示す概略断面図
【図５】本発明の実施の形態２記載の換気空調装置の脱臭サイクル運転状態の構成を示す概略断面図
【図６】同制御手段との電気接続を示す概略構成図
【発明を実施するための形態】
【００１８】
本発明は、本体に微細水滴発生手段と、圧縮機と第１熱交換器と膨張機構と第２熱交換器からなる冷凍サイクルと、熱交換器に空気を送り室内に微細水滴を含んだ空気を送る送風装置と、この送風装置と圧縮機と微細水滴発生手段を制御する制御装置を搭載し、冷凍サイクルによる再熱除湿と微細水滴の吹出し運転を同時に行うことを特徴とするものであり、冷凍サイクルによる再熱除湿と微細水滴吹出し運転を同時に行うことにより、
（イ）微細水滴発生手段により発生した微細水滴は、送風装置により空気と共に室内に吹出す。
（ロ）室内に浮遊する水溶性の臭いや煙が微細水滴に吸着する。
（ハ）臭いなどを吸着した微細水滴を含む室内の空気を本体に吸い込む。
【００１９】
このとき冷凍サイクルは、圧縮機と送風装置が作動することで、第２熱交換器が凝縮器、第１熱交換器が蒸発器となり動作している。
【００２０】
（二）本体に吸込まれた微細水滴を含む空気は第２熱交換器にて冷やされ、水分は第２熱交換器に結露し、臭いなどと共に結露水となり、空気はその後、第１熱交換器にて加熱され、再び室内へと新たな微細水滴と共に吹出す。
という（イ）、（ロ）、（ハ）、（二）、（イ）の順番に繰り返す脱臭サイクルが形成され、結露水は臭いなどと共に装置外に排水されることで、室内の空気を浄化することができ、フィルターを用いずに、室内の空気浄化を行うことができる。
【００２１】
また、空気浄化することができるので、室内（例えば浴室）を喫煙場所として活用し、喫煙環境の改善と、喫煙者の身体の保護、また、屋外への排気も浄化することができ、大気汚染を抑制できる。
【００２２】
また、臭いなどは結露水として排水するが、大気への排気と異なり下水道は浄化インフラも整っていることから、地球環境保護の観点でも寄与することができるという効果を奏する。
【００２３】
また、微細水滴発生手段は０．３μｍ以上の微細水滴を含み発生するという構成にしてもよい。
【００２４】
これにより、室内に吹出す微細水滴量を増大することで、脱臭サイクルを早くすることができ、素早く室内の空気を浄化することができるという効果を奏する。
【００２５】
また、微細水滴発生手段は０．３μｍ以下の超微細水滴を発生するという構成にしてもよい。
【００２６】
これにより、超微細水滴は目に見えないため、透明な空間を保ったまま高湿度空間を作ることができ、湿気を感じず、吸ってるタバコにも水分が吸着され難いことから、脱臭サイクルを継続させたまま快適な喫煙をすることができるという効果を奏する。
【００２７】
また、微細水滴発生手段は冷水を利用するという構成にしてもよい。
【００２８】
これにより、冷水を用いて微細水滴を生成することができ、熱源を用いることなく容易で安価な構成とすることができるという効果を奏する。
【００２９】
また、微細水滴発生手段は温水を利用するという構成にしてもよい。
【００３０】
これにより、微細水滴と共に室内に熱を投入することができ、室内を暖めることができるという効果を奏する。
【００３１】
また、操作部を設けたという構成にしてもよい。
【００３２】
これにより、操作部の操作により、脱臭サイクル運転を発停することができ、脱臭サイクル運転の任意操作ができるという効果を奏する。
【００３３】
また、煙センサを設けたという構成にしてもよい。
【００３４】
これにより、煙センサの検出信号により、自動で脱臭サイクル運転を開始することができ、喫煙者の操作を必要とせずに室内の脱臭をすることができるという効果を奏する。
【００３５】
また、煙センサ自動停止機能を有したことという構成にしてもよい。
【００３６】
これにより、煙センサの検出信号により、自動で脱臭サイクル運転を停止することができ、喫煙者の操作を必要とせずに室内の脱臭をし、運転の停止をすることができるという効果を奏する。
【００３７】
また、熱検出センサを設けたという構成にしてもよい。
【００３８】
これにより、熱検出センサにより、着火装置の火やタバコの火を検出し、自動で脱臭サイクル運転を開始することができ、喫煙者の操作を必要とせずに室内の脱臭をすることができるという効果を奏する。
【００３９】
また、熱検出センサ自動停止機能を有したという構成にしてもよい。
【００４０】
これにより、熱検出センサの検出信号により、自動で脱臭サイクル運転を停止することができ、喫煙者の操作を必要とせずに室内の脱臭をし、運転の停止をすることができるという効果を奏する。
【００４１】
また、運転遅延機能を有したという構成にしてもよい。
【００４２】
これにより、脱臭サイクル運転の停止条件が成立した時から予め設定した遅延時間後まで脱臭サイクル運転を継続することができ、残留する煙や臭いを浄化することができるという効果を奏する。
【００４３】
また、風向ルーバーを備えたという構成にしてもよい。
【００４４】
これにより、微細水滴を含む空気の吹出し方向を室内の循環風路として最適な方向とすることができ、微細水滴の回収効率を高め、脱臭時間を早めることができるという効果を奏する。
【００４５】
以下、本発明の実施の形態について図面を参照しながら説明する。
【００４６】
（実施の形態１）
本発明の実施の形態１の換気空調装置を図１から図４を参照しながら説明する。
【００４７】
図１は本発明の換気空調装置の一例で脱臭サイクル運転状態の構成を示すものであり、図２は、本発明の換気空調装置の一例で制御手段との電気接続状態を示すものであり、図３は本発明の換気空調装置の一例で換気運転状態を示すものであり、図４は本発明の換気空調装置の一例で室内での循環路を示すものである。
【００４８】
図１に示すように、換気空調装置１は、室内（例えば浴室）に開口した吸込口２と、通過させる空気を冷却させる第２熱交換器３と、通過させる空気を加熱する第１熱交換器４と、室内空間に開口し空気を吹き出す吹出口５と、吸込口２から第２熱交換器３と第１熱交換器４を介して空気を吸い込み前記吹出口５へ送風する循環送風装置６とを配置した循環風路７を備えている。
【００４９】
また、この循環風路７の吹出口５には、室内側と換気空調装置１内部との連通を遮断し、または室内に吹出す空気の方向を定める風向ルーバー８を設けている。
【００５０】
また、０．３μｍ以上の微細水滴を含み発生させる第１微細水滴発生手段９のノズル部１０を循環風路７に設け、この第１微細水滴発生手段９には市水（水道）からの給水を通す給水管１１と、排水するための排水管１２が接続されている。
【００５１】
また、この排水管１２は第２熱交換器３に発生した結露水も排水するため、換気空調装置１内部で分岐した構成としている。
【００５２】
また、屋外に空気を排出する換気口１３と、前記吸込口２から空気を吸い込み換気口１３へ送風する換気送風装置１４とを配置した換気風路１５を備えている。
【００５３】
また、この換気風路１５には前記換気口１３側に屋外側と換気空調装置１内部との連通を遮断する換気ダンパー１６と、煙を検知する煙センサ１７を設けている。
【００５４】
また、換気空調装置１外部に、運転の発停をするための運転スイッチ１８を有した操作部１９を設けている。
【００５５】
また、冷媒を圧縮する圧縮機２０と、第１熱交換器４と、冷媒を膨張させる膨張機構２１と、第２熱交換器３とをつなぎ冷媒を通す冷凍配管２２にて冷凍サイクルを形成する。
【００５６】
そして、圧縮機２０、循環送風装置６、換気送風装置１４、風向ルーバー８、換気ダンパー１６、膨張機構２１、第１微細水滴発生手段９を制御し、煙センサ１７、および、操作部１９の入力を受信する回路からなり、煙センサ自動停止機能と、運転遅延機能を有した制御手段２３を備え構成されている。
【００５７】
次に図２に示すように、制御手段２３は循環送風装置６、風向ルーバー８、第１微細水滴発生手段９、換気送風装置１４、換気ダンパー１６、煙センサ１７、操作部１９、圧縮機２０、および、膨張機構２１と電気的に接続された構成とする。
【００５８】
上記構成において、図１に示すように、室内の脱臭サイクル運転をするときは、操作部１９に備えた運転スイッチ１８を使用者が操作することで、制御手段２３の信号により、換気ダンパー１６は閉鎖とし、風向ルーバー８は開放の状態とし、圧縮機２０と循環送風装置６が作動することで、圧縮機２０により高温高圧化された冷媒は冷凍配管２２を通り、循環送風装置６により室内から吸込まれた空気に熱を放熱し、膨張機構２１へと移動し減圧され、低温低圧となり第２熱交換器３へと移動し、循環送風装置６により室内から吸込まれた空気の熱を吸収し圧縮機２０へと戻る。
【００５９】
つまり、室内から吸い込まれた空気は、循環風路７を通過して、第２熱交換器３にて冷媒が吸熱するため、吸込まれた空気は冷やされることで露点温度を下回り、第２熱交換器３に結露を発生させ、保有水分量を減少させつつ、空気は第１熱交換器４へと送られ、第１熱交換器４により冷媒が放熱するので、送られた空気は再度暖められ吹出口５に設けられた風向ルーバー８で定められた方向に吹出すことによりヒートポンプを利用した室内空間の除湿運転をすることができる。
【００６０】
また、この除湿運転と共に第１微細水滴発生手段９は給水管１１より供給された水を用いて０．３μｍ以上の粒径を含む微細水滴を生成し、循環風路７に設けられたノズル部１０より微細水滴を発生し、吹出す空気と共に室内に微細水滴を送ることから、室内に滞留している水溶性の臭いや煙を微細水滴が吸着し、再び空気と共に微細水滴を換気空調装置１に吸い込み、ヒートポンプを利用した除湿運転において結露水と共に臭いや煙を回収することで、脱臭サイクルを形成した脱臭サイクル運転ができ、結露水は排水管１２を通し、臭いなどと共に換気空調装置１の外に排水するため、室内の空気を浄化することができ、フィルターを用いずに、室内の空気浄化を行うことができる。
【００６１】
また、脱臭サイクル運転を停止するときは、再び操作部１９に有した運転スイッチ１８を使用者が操作することで、使用者が任意に運転の発停をすることができる。
【００６２】
また、停止の際は制御手段２３に有した運転遅延機能が働き、予め設定した遅延時間後（例えば１０分後）まで脱臭サイクル運転を継続した後に停止することができ、残留する煙や臭いを浄化することができる。
【００６３】
また、煙センサ１７により室内の煙を検知した場合には、自動的に脱臭サイクル運転を開始することで室内の空気浄化をおこない、煙センサ１７により室内の煙が非検出となった場合には自動的に脱臭サイクル運転を停止することができるので、使用者の操作を必要とせずに室内の脱臭運転および停止をすることができる。
【００６４】
また、微細水滴は水を用いて０．３μｍ以上（具体的には１００〜３００μｍ程度の粒子形状が望ましい）の粒径を含み発生することから、室内に吹出す微細水滴量を増大することで、脱臭サイクルを早くすることができ、素早く室内の空気を浄化することができ、熱源を用いることなく容易で安価な構成とすることができる。
【００６５】
また、図３に示すように、換気ダンパー１６を開放し、風向ルーバー８を閉鎖した状態とし、換気送風装置１４を作動させることで、吸込口２から吸込んだ室内の空気を換気風路１５を介し、換気口１３から屋外に排気する換気運転をすることができる。
【００６６】
また、この換気運転を脱臭サイクル運転の後に行うことで浄化された室内の空気を排気することができるので、室内を喫煙場所として活用し、喫煙環境の改善と、喫煙者の身体の保護、また、屋外への排気も浄化することができ、大気汚染を抑制できる。
【００６７】
また、臭いなどは結露水として排水するが、大気への排気と異なり下水道は浄化インフラも整っていることから、地球環境保護の観点でも寄与することができる。
【００６８】
また、図４に示すように、吹出す空気が室内を循環するように風向ルーバー８の角度を制御手段２３において制御する。
【００６９】
これにより、微細水滴を含む空気の吹出し方向を室内の循環路として最適な方向とすることができ、微細水滴の回収効率を高め、脱臭時間を早めることができる。
【００７０】
また、排水管１２は結露水および第１微細水滴発生手段９の排水を漏れなく換気空調装置１の外へ排水できれば良く、また、給水管１１は、第１微細水滴発生手段９への給水を漏れなくできれば良く、樹脂や銅などを用いて製作されるのが望ましい。
【００７１】
また、膨張機構２１は冷媒を膨張（減圧）できれば良く、配管を細くして一定の減圧を実施するキャピラリーチューブや、減圧量を可変することができる膨張弁、更に電子制御を実現する電動膨張弁などがある。
【００７２】
また、換気送風装置１４と循環送風装置６は別々のものとして説明したが、第１熱交換器４と第２熱交換器３へ空気を流す作用が得られれば良く、ひとつの送風装置を共用にした構成や、換気送風装置１４は換気空調装置１の内部に設けず、別置きとした構成でも効果は変わらない。
【００７３】
また、第１熱交換器４と第２熱交換器３は冷媒と空気との間で熱交換できれば良く、例えば、縦横に配列した配管とフィンを用いた構成で、材料は熱伝導の良い銅やアルミニウムを主原料としたものがある。
【００７４】
また、風向ルーバー８と換気ダンパー１６は風路の開閉状態を可変できれば良く、例えば駆動源にステッピングモータを用いたものがある。
【００７５】
また、第１微細水滴発生手段９は０．３μｍ以上の粒径を含む微細水滴が発生できれば良く、固定された壁に水を吹き付け生成することや、回転羽根に水を当てて生成する水破砕方式や、超音波振動を用いて生成する超音波式などがある。
【００７６】
（実施の形態２）
本発明の実施の形態２の換気空調装置を図５と図６を参照しながら説明する。
【００７７】
図５は本発明の換気空調装置の一例で脱臭サイクル運転状態の構成を示すものであり、図６は、本発明の制御手段との電気接続状態を示すものである。
【００７８】
なお、実施の形態２の説明において既に実施の形態１で説明した同一部品については同一符号を付与し説明を省略する。
【００７９】
図５に示すように、循環風路７に０．３μｍ以下の超微細水滴を発生する第２微細水滴発生手段２４と、この第２微細水滴発生手段２４は給湯器（図示せず）からの温水が給水される給水管１１が接続されている。
【００８０】
また、熱を検知する熱検出センサ２５を室内空間に向けて設けており、この熱検出センサ２５の信号を受信し、熱検出センサ自動停止機能を有した制御手段２３を備えた構成としている。
【００８１】
次に図６に示すように、制御手段２３は循環送風装置６、風向ルーバー８、第２微細水滴発生手段２４、換気送風装置１４、換気ダンパー１６、熱検出センサ２５、圧縮機２０、および、膨張機構２１と電気的に接続された構成とする。
【００８２】
上記構成において、図５に示すように、熱検出センサ２５により室内空間に着火装置の火やタバコの火による高温度箇所を検知した場合には、自動的に脱臭サイクル運転を開始することで室内の空気浄化をおこない、熱検出センサ２５により室内空間の高温度箇所が非検出となった場合には自動的に脱臭サイクル運転を停止することができるので、使用者の操作を必要とせずに室内の脱臭運転および停止をすることができる。
【００８３】
また、第２微細水滴発生手段２４が生成する微細水滴は温水を用いて０．３μｍ以下の粒径を発生し、室内空間に吹出し、脱臭サイクル運転をするため、微細水滴と共に室内に温水から得た熱を投入することができ、室内を暖めることができる。
【００８４】
また、０．３μｍ以下の微細水滴は目に見えないため、透明な空間を保ったまま高湿度空間を作ることができ、湿気を感じず、吸ってるタバコにも水分が吸着され難いことから、脱臭サイクルを継続させたまま快適な喫煙をすることができる。
【００８５】
また、熱検出センサ２５は室内空間の温度変化の検知ができれば良く、例えば、赤外線を用いて変化を検知する赤外線方式や熱の変化を検知するサーモパイル方式がある。
【００８６】
また、第２微細水滴発生手段２４は０．３μｍ以下の微細水滴が発生できれば良く、固定された壁に水を吹き付け生成することや、回転羽根に水を当てて生成する水破砕方式や、高分子膜を利用し生成する方式などがある。
【産業上の利用可能性】
【００８７】
本発明の換気空調装置は、ヒートポンプを利用した除湿空調と微細水滴を利用した加湿を同時に行うことにより得られる脱臭サイクルを利用し、空気浄化をすることを特徴としたものであり、浴室の換気空調のみならず、リビング、寝室、キッチンあるいは洗面所等の換気空調装置等として有用である。
【符号の説明】
【００８８】
１    換気空調装置
２    吸込口
３    第２熱交換器
４    第１熱交換器
５    吹出口
６    循環送風装置
７    循環風路
８    風向ルーバー
９    第１微細水滴発生手段
１０  ノズル部
１１  給水管
１２  排水管
１３  換気口
１４  換気送風装置
１５  換気風路
１６  換気ダンパー
１７  煙センサ
１８  運転スイッチ
１９  操作部
２０  圧縮機
２１  膨張機構
２２  冷凍配管
２３  制御手段
２４  第２微細水滴発生手段
２５  熱検出センサ
【図１】
2011163635.tif 000003
【図２】
2011163635.tif 000004
【図３】
2011163635.tif 000005
【図４】
2011163635.tif 000006
【図５】
2011163635.tif 000007
【図６】
2011163635.tif 000008